(57)【要約】【課題】会話時に声を第三者に聞かれることなく確実に会話の相手にのみ伝達できるとともに、使い勝手がよく、簡単な構造で、安価に製造できる会話補助器を提供する。【解決手段】直接対話状態の相手に声を伝達する会話補助器であり、内部に声の伝達路を形成する筒本体１２と、筒本体１２の両端部にそれぞれ接続され口又は耳にあてて送受話時の声の拡散を防止しつつ送話又は受話音をもれなく入出力する全声送受話部１４と、を備えたことを特徴とする会話補助器１０から構成される。【選択図】図１
2008028786.tif 000002
【特許請求の範囲】
【請求項１】
直接対話状態の相手に声を伝達する会話補助器であり、
内部に声の伝達路を形成する筒本体と、
筒本体の両端部にそれぞれ接続され口又は耳にあてて送受話時の声の拡散を防止しつつ送話又は受話音をもれなく入出力する全声送受話部と、を備えたことを特徴とする会話補助器。
【請求項２】
全声送受話部は、筒本体の両端部開口から外側に一体的に拡大し、少なくとも口全体を覆う程度の大きさの拡大開口を有する拡大部からなることを特徴とする請求項１記載の会話補助器。
【請求項３】
拡大部は、筒本体に対して着脱自在に接続されることを特徴とする請求項２記載の会話補助器。
【請求項４】
拡大部は、開口の大小の向きを反転させた状態で筒本体に装着できることを特徴とする請求項３記載の会話補助器。
【請求項５】
拡大部は、テーパ状に拡大したことを特徴とする請求項２ないし４のいずれかに記載の会話補助器。
【請求項６】
一方の拡大部側に配置されるマイクロホンと、他方の拡大部側に配置されるスピーカとを含み、一方の拡大部から入力される声をマイクロホンから入力しつつ電気信号に変換、増幅させてスピーカを介して他方の拡大部から出力する音声増幅装置が設けられたことを特徴とする請求項２ないし５のいずれかに記載の会話補助器。
【請求項７】
筒本体の内部には、一方の拡大部から入力される声が他方の拡大部へ直接的に空気伝達するのを遮る固定壁又は開閉自在な開閉壁が設けられたことを特徴とする請求項６記載の会話補助器。
【発明の詳細な説明】
【技術分野】
【０００１】
本発明は、例えば、高齢者や耳の病気の人等の難聴者と会話する際に有効に用いられる会話補助器に関する。
【背景技術】
【０００２】
高齢者や耳の病気の人等の難聴者と会話する際には、一般に難聴者が聞き取れるように大きい声で話すことが多い。また、難聴者は、例えば、特許文献１に示すような耳穴に挿入する耳穴式補聴器や耳にかける耳かけ補聴器等を利用して聴力を補う場合が多い。
【特許文献１】特開２００５−２１９３０号公報（図１、図３）
【発明の開示】
【発明が解決しようとする課題】
【０００３】
しかしながら、例えば、病院、介護施設等その他外出時に周りに人がいる状況で会話する際には、大声で話すと、周囲の人々に迷惑がかかったり、聞かれたくない内容まで周囲の人々に聞かれてしまうといった問題が生じていた。周囲に配慮して声を小さくしてしまうと会話内容が伝わらず、お互いにいらいらしてしまうことが多い。一方、難聴者が特許文献１のような補聴器を利用する際にも、周囲の雑音が入ることが原因で、小さな声が聞き取りにくい場合があった。また、例えば、それぞれの難聴者の耳や耳穴の形状等に合わせて補聴器を設計製造する必要があるので、高価であるとともに当該難聴者のみしか利用できない汎用性の低いものであった。さらに、小型であるので、ボリューム調整や清掃、電池交換等のメンテナンスが煩雑であり、特に高齢者自身で行うことが困難なものであった。また、長時間装着していると違和感を感じるためや、電池節約のために不要時には補聴器を外している難聴者もいるが、必要な際に即座に耳に装着できず、円滑に会話ができない場合もあった。
【０００４】
本発明は上記従来の課題に鑑みてなされたものであり、その一つの目的は、会話時に声を第三者に聞かれることなく確実に会話の相手にのみ伝達できるとともに、使い勝手がよく、簡単な構造で、安価に製造できる会話補助器を提供することにある。
【課題を解決するための手段】
【０００５】
上記課題を解決するために本発明は、直接対話状態の相手Ｍに声を伝達する会話補助器であり、内部に声の伝達路を形成する筒本体１２と、筒本体１２の両端部にそれぞれ接続され口又は耳にあてて送受話時の声の拡散を防止しつつ送話又は受話音をもれなく入出力する全声送受話部１４と、を備えたことを特徴とする会話補助器１０から構成される。
【０００６】
その際、全声送受話部１４は、筒本体の両端部開口１６から外側に一体的に拡大し、少なくとも口全体を覆う程度の大きさの拡大開口１８を有する拡大部２０からなることするとよい。拡大開口の大きさ形状は、任意でよいが口全体、ひいては耳全体を覆うことができる程度の大きさに設けるとさらに好適である。
【０００７】
また、拡大部２０は、筒本体１２，１２ａに対して着脱自在に接続されることとしてもよい。例えば、同一の拡大部を複数個、或いは大きさの異なる拡大部を複数個用意しておき、必要に応じて交換することもできる。
【０００８】
また、拡大部２０は、開口（１８）の大小の向きを反転させた状態で筒本体１２に装着できることとしてもよい。
【０００９】
また、拡大部２０は、テーパ状に拡大したこととしてもよい。
【００１０】
また、一方の拡大部２０側に配置されるマイクロホン３２と、他方の拡大部２０側に配置されるスピーカ３４とを含み、一方の拡大部２０から入力される声をマイクロホン３２から入力しつつ電気信号に変換、増幅させてスピーカ３４を介して他方の拡大部２０から出力する音声増幅装置３０が設けられたこととしてもよい。マイクロホン３２、スピーカ３４は例えば、筒本体１２の内部の拡大部２０寄り位置に配置してもよいし、拡大部２０に配置してもよい。
【００１１】
また、筒本体１２ａの内部には、一方の拡大部２０から入力される声が他方の拡大部２０へ直接的に空気伝達するのを遮る固定壁４２又は開閉自在な開閉壁５０が設けられたこととしてもよい。
【発明の効果】
【００１２】
本発明の会話補助器によれば、直接対話状態の相手に声を伝達する会話補助器であり、内部に声の伝達路を形成する筒本体と、筒本体の両端部にそれぞれ接続され口又は耳にあてて送受話時の声の拡散を防止しつつ送話又は受話音をもれなく入出力する全声送受話部と、を備えた構成であるから、一方の全声送受話部を送話者の口に他方を受話者の耳にそれぞれあてるだけで簡便に使用できるとともに、いずれの全声送受話部でも声の拡散や漏れを防止するので声の伝達度合いが高く、比較的小さな声であっても受話者側に良好に伝達することができる。従って、例えば難聴者と会話する際でも、大声を必要としないので、他人に迷惑をかけないとともに会話者のプライバシーの保護も図りながら会話することができる。また簡単な構造であり、低コストで製造できる。
【００１３】
また、全声送受話部は、筒本体の両端部開口から外側に一体的に拡大し、少なくとも口全体を覆う程度の大きさの拡大開口を有する拡大部からなることから、拡大部の拡大開口に口にあてるだけで口の周りが覆われて、声の拡散や漏れを防止する全声送受話部を簡単な構成で具体的に実現できる。また、例えば、拡大開口を耳全体をも覆いうる程度の大きさで形成すれば、口や耳にあてる際に、会話補助器と体との間にある程度余裕があり、接触することによる不快感、違和感がほとんどなく、快適に会話することができる。さらに、受話者側で耳を覆うことで周囲の雑音を妨げるので、声が聞き取りやすい。
【００１４】
また、拡大部は、筒本体に対して着脱自在に接続される構成とすることにより、例えば、持ち運びや保管の際に、筒本体から外側向きに拡大された拡大部部分を離脱して、嵩張りの少ない状態とでき、場所をとらず有利である。さらに、口や耳にあてがわれて汚れやすい拡大部を、筒本体から離脱して簡単に洗浄又は交換することができ、衛生的に利用できる。また、例えば、会話者の口や耳の大きさ等に対応して、筒本体を共通しつつ、拡大開口の大きさの異なる拡大部を交換することができ、低コストで汎用性が高く、実用的である。
【００１５】
また、拡大部は、開口の大小の向きを反転させた状態で筒本体に装着できる構成とすることにより、分離した拡大部を拡大開口側が内側に向くように反転させて一部重ね状態で筒本体に装着させて、分離した拡大部と筒本体とをある程度コンパクト化した状態で一つにまとめることができる。よって、持ち運びや管理がしやすく、拡大部の置き忘れや紛失を防止できる。また、必要時には拡大部を分離反転して接続するだけで全声送受話部として形成させてすぐに使用できる。
【００１６】
また、拡大部は、テーパ状に拡大したことから、簡単な構成で、安価な拡大部を具体的に実現できる。また、拡大部に入力された声が筒本体の開口に円滑に入力されるので音声の損失が少ない。
【００１７】
また、一方の拡大部側に配置されるマイクロホンと、他方の拡大部側に配置されるスピーカとを含み、一方の拡大部から入力される声をマイクロホンから入力しつつ電気信号に変換、増幅させてスピーカを介して他方の拡大部から出力する音声増幅装置が設けられたことから、拡大部から声を増幅させて伝達することにより、より確実に声を伝達できる。特に程度の重い難聴者と会話する場合であっても、大きな声を不必要とし良好に会話することができる。
【００１８】
また、筒本体の内部には、一方の拡大部から入力される声が他方の拡大部へ直接的に空気伝達するのを遮る固定壁又は開閉自在な開閉壁が設けられたこと構成とすることにより、例えば、受話側となる拡大部で、増幅された声と筒本体内の中空内部を介して直接的に伝達された声とが重なって聞き取りにくくなる現象や、スピーカから出力された声が空気を中空内部通路を介して送話者側のマイクロホンに戻ることによりハウリングや雑音が発生するのを防止できる。また、開閉自在な開閉壁の場合には、例えば、必要に応じて開閉壁を開閉し、空気を介して直接的に声を伝達する態様と、電気的に音声信号を増幅させた態様と、を切り替えて会話することができ、使い勝手が良いうえ、電池を節電することができる。
【発明を実施するための最良の形態】
【００１９】
以下添付図面を参照しつつ本発明の会話補助器について説明する。本発明の会話補助器は、直接対話状態の相手に声を伝達するものであり、声の拡散、もれを防止しつつ良好に会話できる会話補助器である。図１ないし図３は、本発明の会話補助器の第１の実施形態を示している。本実施形態において、会話補助器１０は、図１、図２に示すように、筒本体１２と、筒本体１２の両端部に接続された全声送受話部１４と、を備えている。
【００２０】
筒本体１２は、内部に声の伝達路を形成している。図１、図２に示すように本実施形態では、筒本体１２は、例えば、プラスチック等の合成樹脂で形成されており、両端を開口１６し、それらの開口１６を内部で連通させた中空円筒管部材からなる。筒本体１２は使用時に会話者Ｍが手で持つ部位となる。筒本体１２は、中空内部１３の空気を伝達媒介としている。そして、筒本体１２の両端部に接続されている全声送受話部１４の一方から入力された声を一端から他端側へ外部への拡散や漏れを防止しつつ直接的に空気伝達し、全声送受話部１４の他方から出力する。なお、筒本体１２の伝達路における声の伝達媒介は空気に限らず、例えば、後述の実施形態のように電気信号に変換して伝達する態様でもよく、その他任意で声伝達手段でよい。
【００２１】
全声送受話部１４は、会話者Ｍの口又は耳にあてて送受話時の声の拡散を防止しつつ送話又は受話音をもれなく入出力する全声送受話手段である。すなわち、全声送受話１４は、送話者側ＭＳが口をあてる送話部と受話者側ＭＬが耳をあてる受話部とを兼用し随時切り替えられる全声入出力手段となっている。送話者側、受話者側のいずれでも声の拡散やもれにより伝達する音声が小さくなるのを防止することにより、声を第三者に聞かれることなく、相手に伝達することができる。
【００２２】
本実施形態では、全声送受話部１４は、図１、図２に示すように筒本体１２の両端部開口１６から外側に一体的に拡大し、該開口１６を拡大した拡大開口１８を内側に有する拡大部２０を含む。具体的には、拡大部２０は、例えば、筒本体１２と同様のプラスチック等の合成樹脂から形成されており、外形形状が外側に向けてテーパ状に拡大した円台錐形状の中空テーパ形筒部材２２から設けられている。そして、小径端部側に小径開口、大径端部側に大径開口を有しつつ内部でそれらを連通してテーパ状に拡大した孔を形成している。テーパ形筒部材２２は、小径開口を筒本体１２の両端部の開口１６に内部連通した状態でそれぞれ筒本体１２に一体的に固定されている。テーパ形筒部材２２は、外側の大径開口を拡大開口１８としており、本実施形態では、拡大開口１８は、例えば、図３に示すように、会話者Ｍの口全体、さらには耳全体を覆うような大きさで設定されている。このように、拡大部２０は開口１６を拡大させて口又は耳に覆う大きさの拡大開口１８を形成させたことにより、送話者ＭＳ側では口全体を覆うことで入力側で声の外部への拡散、もれを確実に防ぐ構成を具現している。同時に、受話者ＭＬ側では耳全体を覆うことで出力側でも声の外部への拡散、もれを確実に防ぐとともに周囲の雑音が受話者の耳に入りにくく、会話補助器１０を介して伝達された声を聞き取れる。なお、拡大部２０は、テーパ状に拡大したものに限らず、例えば、ラッパ状や椀状に拡大したもの、その他断面放物線状、円弧状に開口を拡大した形状、段差的に拡径した形状、でもよく、その他、筒本体１２の両端部開口１６からに外側に一体的に拡大し、少なくとも口全体を覆う程度の大きさの拡大開口１８を有する態様であれば任意の形状でよい。また、筒本体１２と、全声送受話部１４と、は一体的に形成してもよく、それぞれ別々の部材で設けてもよい。また、同一素材で形成してもよく、それぞれ異なる素材で形成してもよい。筒本体１２や全声送受話部１４の形状や大きさ、材質は任意でよい。
【００２３】
例えば、会話補助器１０を使用して難聴者と会話する際には、図３に示すように、筒本体１２を手で持ち、一方の拡大部２０に送話者ＭＳが口全体を覆うように口をあてつつ、他方の拡大部２０に受話者ＭＬの耳全体を覆うように耳にあてる。上記のように、全声送受話部を介して、外部に拡散させることなく送話者の声（送話音）を全てもれなく筒本体１２の一端側に入力し、さらに筒本体１２の伝達路を介して他方側に伝達させ、他方の全声送受話部から全ての声（受話音）をもれなく出力するので、送話者ＭＳから発せられた声の減衰が少なく、ある程度小さな声であっても、難聴者が聞き取ることができるレベルで伝達できる。その結果、周囲の人々に迷惑をかけたり、会話内容を周囲の人々に聞かれることなく、確実に声を伝達でき、円滑に会話することができる。
【００２４】
次に図４を参照しつつ本発明の第２の実施形態について説明するが、上記実施形態と同一部材には同一符号を付し、その詳細な説明を省略する。第２の実施形態では、会話補助器は、第１の実施形態と略同じ構成で設けられているが、筒本体１２ａの両端部と拡大部２０との構成が異なっている。本実施形態では、図４に示すように、拡大部２０は、筒本体１２に対して着脱自在に一体的に接続されるように設けられている。本実施形態では、拡大部２０を形成しているテーパ形筒部材２２の小径開口縁部と、筒本体１２の端部とが雌雄嵌合するように構成されている。詳細には、テーパ形筒部材２２の小径開口縁部側の内面側に向けて細幅で環状に凹設された凹部２４と、筒本体１２の端部の外側から外側に向けて該凹部２４を嵌合するように凸設された細幅環状の凸部２６と、が設けられている。これらの凹部２４、凸部２６を嵌合又は離脱させて、簡便にテーパ形筒部材２２を筒本体１２に対して着脱自在に装着できる。したがって、例えば、持ち運びの際に、筒本体からテーパ状に拡大した部分を離脱して、嵩張りを少なくした状態にでき、持ち運びがしやすい。また、例えば、一人の看護者や介護者等が、多数の高齢者等を回って話す際に、該看護者等が一個の会話補助器１０だけを持ち、話し相手ごとに、相手側の拡大部２０を随時取り替えて交換することができる。さらに、テーパ形筒部材２２は、口や耳にあてがわれるので汚れやすいが、その汚れやすい部位を離脱して簡単に洗浄又は交換でき、衛生的に利用できる。また、会話者Ｍの口や耳の大きさ等に対応して、拡大開口１８の大きさの異なるテーパ形筒部材２２を複数用意しておき、会話者に対応して逐次簡単に交換することもできる。なお、テーパ形筒部材２２と筒本体との着脱構成は、テーパ形筒部材２２又は筒本体１２の端部の一部を他方の開口内に嵌入させる嵌合させる構成や螺合連結構成等、その他任意の構成でもよい。
【００２５】
さらに、本実施形態では、筒本体１２の両端部側は、外端側に向けてテーパ状に径が小さくなるように設けられており、その外形輪郭がテーパ形筒部材２２を図４の二点鎖線に示すように１８０度反転した状態での内孔面の大きさと略同一に形成されている。すなわち、本実施形態では、テーパ形筒部材２２の開口の大小の向きを反転させた状態で（拡大開口１８を内側に向けた状態で）、筒本体１２の端部に装着できるように設けられている。また、テーパ形筒部材２２の内側部の中間位置には、内側に向けて環状に突設された細幅の凸部２７が形成されているとともに、筒本体１２の端部よりやや中間寄り位置には凸部２７を嵌入する細幅の凹部２８が設けられている。テーパ形筒部材２２の開口の大小の向きを反転させた状態で、筒本体１２の端部に装着する際には、テーパ形筒部材２２の凹部２４、凸部２７と、筒本体１２の凸部２６、凹部２８と、がそれぞれ嵌合される。これにより、分離したテーパ形筒部材２０を筒本体１２に一部重ねた状態となり、ある程度コンパクト化して一つにまとめることができ、持ち運びや管理がしやすい。また、分離したテーパ形筒部材２２の置き忘れや紛失を防止できる。
【００２６】
次に、図５ないし図７を参照しつつ本発明の会話補助器の第３の実施形態について説明するが、前記した実施形態と同一部材には同一符号を付しその詳細な説明を省略する。この実施形態においても、図５、図６、図７に示すように、会話補助器１０ａは、筒本体１２ａと、全声送受話部１４と、を備えている。さらに、全声送受話部１４は拡大部２０からなり、筒本体１２ａと拡大部２０とは、第２実施形態同様に着脱自在に接続される。本実施形態では、筒本体１２ａの態様が上記実施形態と異なっている。筒本体１２ａは、一方の拡大部２０から入力された音声を増幅して伝達し他方の拡大部２０から出力する音声増幅装置３０を有している。また、筒本体１２は、中間位置で径が小さく形成されて両端部近傍が拡径された略つづみ状の中空管部材で形成されており、端部側はさらに拡径部位から外側に向けてテーパ状に縮径されて設けられている。
【００２７】
本実施形態では、音声増幅装置３０は、入力された声を電気信号に変換し、増幅させる電気的な拡声装置である。音声増幅装置３０は、一方の拡大部２０側に配置されたマイクロホン３２と、他方の拡大部２０側に配置されたスピーカ３４と、マイクロホンアンプ３６、スピーカアンプ３８等の電気回路で形成された増幅器と、電源となるボタン電池４０と、を有しており、それらが電気的に接続されている。音声増幅装置３０は、一方の拡大部２０から入力される声をマイクロホン３２から入力しつつ電気信号に変換、増幅させてスピーカ３４を介して他方の拡大部２０から出力する。本実施形態では、音声増幅装置３０は、一つの筒本体１２にマイクロホン３２、スピーカ３４、増幅器（３６，３８）の配列方向を逆に配置させた拡声装置を２組組み付けられており、双方向ともに声を電気信号に変換、増幅させて伝達できるようになっている。両端の拡大部２０側それぞれにマイクロホン３２とスピーカ３４が配置されている。マイクロホン３２とスピーカ３４は、拡大部２０側（筒本体の両端部側）の位置に固定壁４２を介して固定支持されており、マイクアンプ３６、スピーカアンプ３８、電池４０は筒本体の内壁に回路基板やケース等を介して固定されている。なお、筒本体１２には、電池４０交換用の蓋４１が設けられている。
【００２８】
固定壁４２は、本実施形態では、マイクロホン３２とスピーカ３４以外の部分を閉鎖して、筒本体１２ａの内部連通状態を閉鎖している。すなわち固定壁４２は、一方の拡大部から入力される声が他方の拡大部へ直接的に空気を介して伝達するのを遮る閉鎖手段となっている。よって、本実施形態では筒本体１２ａの伝送路では、送話者の声は電気的な信号変換、伝送のみによって伝達する。これにより、受話側となる拡大部２０で、増幅された声と筒本体１２ａ内の中空内部を介して直接的に伝達される声とが重なり、声が聞き取りにくくなるのを防止できる。また、スピーカから出力された声が中空内部の空気を介して送話者側のマイクロホンに戻ることによるハウリングや雑音の発生を防止できる。なお、本実施形態では、固定壁４２は、上記のような空気伝達を遮る閉鎖機能と、マイクロホン３２とスピーカ３４の支持機能と、を兼用しているが、これに限らない。例えば、筒本体の中間位置に、内部連通状態を閉鎖する固定壁を設けても良い。また、筒本体１２内部に発泡体等の音を吸収しやすい素材を充填して閉鎖壁を形成してもよい。
【００２９】
さらに、音声増幅装置３０には、マイクロホン３２（又は増幅器）のいずれかのみを選択的にオンするように切り替える切替えスイッチ４４が設けられており、会話時に送受話を入れ替える際にスムーズに切り替えられる。マイクロホン３２とスピーカ３４とが近接配置されているので、例えば送話者側のマイクロホンから入力された音が増幅されて受話者側でスピーカから出力され、さらに該受話者側でマイクロホン３２に入力され増幅されて送話者側のスピーカから出力されて再度送話者側のマイクロホンに入力されるループが繰り返されて、ハウリングやその他雑音が発生するのを防止する。また、音声増幅装置３０には、２組の増幅器にそれぞれ接続されるボリュームつまみ４６が設けられており、音声増幅装置のオン・オフ及び声の増幅の大きさを調整できる。なお、ボリュームは必ずしも設けなくても良く、またオン・オフスイッチは別途構成してもよい。
【００３０】
次に図８を参照しつつ本発明の会話補助器の第４の実施形態について説明するが、上記実施形態と同一部材には同一符号を付し、その詳細な説明を省略する。第４の実施形態に係る会話補助器１０ｂは、第３実施形態の略同一の形態で構成されているが、筒本体１２ａの内部の直接的に声の空気伝達を遮る固定壁が設けられておらず、開閉自在に設けられた開閉壁５０を設けた点で異なっている。開閉壁５０は、筒本体１２ａの内部の中間位置に配置されており、中空内部１３ａの連通状態を閉鎖しうる外形の円板体で形成されている。開閉壁５０は該円板体の直径方向に外部に突設した軸５０ａを筒本体１２ａに貫通させて軸周りに回転可能に設けられている。開閉壁５０は、軸５０ａの外部に突出した端部を手で操作して該軸５０ａ周りに回転させて、筒本体の中空内部１３ａの閉鎖状態と開放連通状態（図８上、二点鎖線）とを切り替えることができる。なお、マイクロホン３２とスピーカ３４は、筒本体１２ａの内壁に一体的に突設された支持部５２を介して支持されており、それら以外の部分を開放して端部の開口１６と内部１３ａとは連通されている。これにより、例えば、重度の難聴者に話しかける際には、開閉壁５０を閉鎖した状態で音声増幅装置３０を作動させて声を電気的に増幅して伝達し、軽度の難聴者や健常者に話す際には、音声増幅装置をオフにして音声を増幅させず開閉壁を開いた状態で直接的に筒本体内部の空気伝達により声を伝達することができる。したがって、会話の相手に対応して、音声の伝達態様を切り替えることができ、使い勝手がよく、また電池を節約できる。
【００３１】
以上説明した本発明の会話補助器は、上記した実施形態のみの構成に限定されるものではなく、特許請求の範囲に記載した本発明の本質を逸脱しない範囲において、任意の改変を行ってもよい。
【産業上の利用可能性】
【００３２】
本発明の会話補助器は、例えば、高齢者や難聴者と会話する際に用いられ、周囲の人々に声を聞かれないように会話するのに有利である。
【図面の簡単な説明】
【００３３】
【図１】本発明の第１の実施形態に係る会話補助器の概略全体図である。
【図２】図１の会話補助器の縦断面図である。
【図３】図１の会話補助器の作用説明図である。
【図４】本発明の第２の実施形態に係る会話補助器の端部側の縦断面拡大図であって分離状態及びその作用説明図である。
【図５】本発明の第３の実施形態に係る会話補助器の概略全体図である。
【図６】図５の会話補助器の縦断面図である。
【図７】図６のＡ−Ａ線断面説明図である。
【図８】本発明の第４の実施形態に係る会話補助器の縦断面説明図である。
【符号の説明】
【００３４】
１０，１０ａ  会話補助器
１２，１２ａ  筒本体
１４  全声送受話部
１６  開口
１８  拡大開口
２０  拡大部
３０  音声増幅装置
３２  マイクロホン
３４  スピーカ
４２  固定壁
５０  開閉壁
【図１】
2008028786.tif 000003
【図２】
2008028786.tif 000004
【図３】
2008028786.tif 000005
【図４】
2008028786.tif 000006
【図５】
2008028786.tif 000007
【図６】
2008028786.tif 000008
【図７】
2008028786.tif 000009
【図８】
2008028786.tif 000010
【手続補正書】
【提出日】平成18年10月19日(2006.10.19)
【手続補正１】
【補正対象書類名】明細書
【補正対象項目名】０００２
【補正方法】変更
【補正の内容】
【０００２】
高齢者や耳の病気の人等の難聴者と会話する際には、一般に難聴者が聞き取れるように大きい声で話すことが多い。また、難聴者は、例えば、特許文献１に示すような耳穴に挿入する耳穴式補聴器や耳にかける耳かけ補聴器等を利用して聴力を補う場合が多い。
【特許文献１】特開２００６−１７４３３６号公報（図１、図３）